(57)【要約】      （修正有）【課題】回転駆動体と装飾体の長手方向中途部とを伝達部材を介して接続し基端部に過大な負荷をかけることなく装飾体を回動でき回動角にて回動した位置に装飾体を保持する。【解決手段】揺動アーム１１２は駆動セクタギア１１１と回動枠１０との間に配置され、左端部が駆動セクタギア１１１に接続され右端部が回動枠１０の基端部と先端部との間の長手方向中途部に連結し揺動アーム１１２の左端部では、保持機構１２０を介して駆動セクタギア１１１に接続し右端部に貫通形成された長孔１１２ｂにはリアフレーム９Ｒから後方側に（回動枠回動軸線Ｏ１と平行に）突出形成された連結軸９ｂが挿通する。揺動アーム１１２は、回動枠回動軸線Ｏ１と平行な揺動軸線Ｏ２を有し両ケース８Ｆ，８Ｒに軸支された揺動軸１１２ａ周りに揺動し保持機構１２０と長孔１１２ｂ，連結軸９ｂとを介して駆動セクタギア１１１の駆動力をリアフレーム９Ｒ（回動枠１０）に伝達する。【選択図】図５
2010214010.tif 000002
【特許請求の範囲】
【請求項１】
遊技者側を前方側としたとき、遊技盤の盤面に沿って所定の方向に長尺状に延びるとともに、長手方向一端側である基端部にて遊技盤に対して交差状に配置された装飾体回動軸線周りに、長手方向他端側である先端部を所定の回動角で回動可能な装飾体と、
その片持ち状の装飾体に対して、装飾体駆動源からの駆動力を及ぼすために、前記回動角に対応する回転角度範囲で回転する回転駆動体と、
それら回転駆動体と装飾体との間に配置されるとともに、一端部が前記回転駆動体に接続され、かつ他端部が前記装飾体の基端部と先端部との間の長手方向中途部に連結されることにより、前記装飾体回動軸線と平行な揺動軸線周りに揺動してその回転駆動体の駆動力を前記装飾体に伝達可能な伝達部材と、
前記回転駆動体に装着されて前記伝達部材の一端部を挟み込むように保持することにより、その伝達部材の一端部を前記回転駆動体と接続する保持機構と、を備え、
前記回転駆動体が前記回転角度範囲内で回転するとき、前記伝達部材は一端部が前記保持機構により前記回転駆動体に保持されつつ前記揺動軸線周りに揺動することにより、前記装飾体の先端部を基端部の前記装飾体回動軸線周りに前記回動角で回動させることを特徴とする遊技機用可動演出装置。
【請求項２】
前記保持機構は、前記回転駆動体の外周縁部において、前記揺動軸線と平行な保持体回動軸線周りで回動可能に装着される保持体を有し、
その保持体は、前記伝達部材の一端部に対してその移動方向の両側から摺接する摺接部を含む請求項１に記載の遊技機用可動演出装置。
【請求項３】
前記保持体回動軸線は、前記伝達部材の他端部側に前記装飾体の自重が作用するときにその自重に基づく前記揺動軸線周りのモーメントを受け止めるように、前記伝達部材の一端部側において前記回転駆動体の外周縁部に配置され、
前記摺接部は、前記保持体回動軸線と同軸状に配置される主摺接部と、前記伝達部材を挟んで前記主摺接部とは反対側に配置される副摺接部とを含む請求項２に記載の遊技機用可動演出装置。
【請求項４】
請求項１ないし３のいずれか１項に記載の遊技機用可動演出装置を備えることを特徴とする遊技機。
【発明の詳細な説明】
【技術分野】
【０００１】
本発明は、パチンコ機のセンター役物等に用いられる遊技機用可動演出装置と、そのような可動演出装置を備えるパチンコ機等の遊技機に関する。
【背景技術】
【０００２】
例えば、パチンコ機の装飾部材（センター役物）において、演出表示用の可変表示装置の側方に配置された長尺状の演出用可動体（装飾体）を下端部（基端部）に配置された回動軸部（回動軸線）で片持ち状に支持し、駆動モータ（駆動源）により上端部（先端部）を回動させて演出動作を実行する可動演出装置が開示されている（特許文献１参照）。
【先行技術文献】
【特許文献】
【０００３】
【特許文献１】特開２００７−３１２８４７号公報
【０００４】
このような可動演出装置によれば、下端部で片持ち状に支持された演出用可動体を駆動モータで回動することによって、上端部を比較的大きく変動させることができ、構成の簡略化を図りつつ遊技者の関心を惹くことができる。ところが、下端部の回動軸部は可動演出装置（演出用可動体等）の全重量を支持する必要があり、またその回動軸部を駆動する駆動モータにも過大な負荷がかかることがあるので、演出用可動体の円滑な回動が妨げられやすい。回動軸部や歯車部が変形したり、駆動モータが焼損したりするおそれもある。さらに、演出用可動体の演出動作に連動させて第２の演出用可動体を作動する場合には、第２の演出用可動体の重量も回動軸部や駆動モータに付加されるので、回動軸部や歯車部の強度をさらに増大させなければならなくなる。
【発明の概要】
【発明が解決しようとする課題】
【０００５】
本発明の課題は、装飾体駆動源で駆動される回転駆動体と、長尺状の装飾体の長手方向中途部とを伝達部材を介して接続することによって、片持ち支持する基端部に過大な負荷をかけることなく装飾体を円滑に回動でき、また種々の回動角にて回動した位置に装飾体を安定して保持できる遊技機用可動演出装置とそれを備えた遊技機を提供することにある。
【課題を解決するための手段及び発明の効果】
【０００６】
上記課題を解決するために、本発明の遊技機用可動演出装置は、
遊技者側を前方側としたとき、遊技盤の盤面に沿って（例えば遊技盤の盤面と平行状で）所定の方向に長尺状（かつ平板状）に延びるとともに、長手方向一端側である基端部にて遊技盤に対して交差（例えば直交）状に配置された装飾体回動軸線周りに、長手方向他端側である先端部を所定の回動角で回動可能な装飾体と、
その片持ち状の装飾体に対して、装飾体駆動源からの駆動力を及ぼすために、前記回動角に対応する回転角度範囲で回転する回転駆動体と、
それら回転駆動体と装飾体との間に配置されるとともに、一端部が前記回転駆動体に接続され、かつ他端部が前記装飾体の基端部と先端部との間の長手方向中途部に連結されることにより、前記装飾体回動軸線と平行な揺動軸線周りに揺動してその回転駆動体の駆動力を前記装飾体に伝達可能な伝達部材と、
前記回転駆動体に装着されて前記伝達部材の一端部を挟み込むように保持することにより、その伝達部材の一端部を前記回転駆動体と接続する保持機構と、を備え、
前記回転駆動体が前記回転角度範囲内で回転するとき、前記伝達部材は一端部が前記保持機構により前記回転駆動体に保持されつつ前記揺動軸線周りに揺動することにより、前記装飾体の先端部を基端部の前記装飾体回動軸線周りに前記回動角で回動させることを特徴とする。
【０００７】
上記遊技機用可動演出装置では、回転駆動体（例えば駆動セクタギア）が回転するとき、伝達部材（例えば揺動アーム）は一端部が保持機構（例えば保持体の摺接部）により回転駆動体に保持されつつ揺動軸線周りに揺動し、装飾体（例えば回動枠）は先端部が基端部の装飾体回動軸線周りに回動する。このように、装飾体駆動源（例えば回動枠モータ）で駆動される回転駆動体と、長尺状の装飾体の長手方向中途部とを伝達部材を介して接続することによって、片持ち支持する基端部に過大な負荷をかけることなく装飾体を円滑に回動でき、また種々の回動角にて回動した位置に装飾体を安定して保持できる。その際、伝達部材は、一端部を挟み込むように保持する保持機構により回転駆動体に保持されつつ揺動軸線周りに揺動するので、保持機構での大きな荷重（負荷）支持を可能とすることにより、装飾体の基端部での支持負担を軽減することができ、可動演出装置の耐久性向上（長寿命化）を図ることができる。また、伝達部材の一端部が保持機構により挟み込み保持されるので、輸送時・運搬時・取付時等において、梱包材等を用いなくても装飾体を損傷から防護できる。
【０００８】
したがって、装飾体に対して変動（例えば往復移動）可能な他の装飾部材（例えば昇降枠）と、その装飾部材を駆動するための装飾部材用駆動源（例えば昇降枠モータ）とが装飾体に搭載され、装飾部材の変動が振動となって装飾体に付加される場合であっても、種々の回動角にて回動した位置に装飾体を安定して保持できる。
【０００９】
なお、「装飾体駆動源」には、ロータリアクチュエータ（例えばステッピングモータ）、リニアアクチュエータ（例えばリニアステッピングモータ）のいずれを用いてもよい。
【００１０】
また、「回転駆動体」として、
（１）巻き掛け伝動機構の場合……ベルト伝動機構やロープ伝動機構のプーリ、チェン伝動機構のスプロケット等；
（２）接触伝動機構の場合……歯車伝動機構の歯車、摩擦伝動機構の摩擦車等；
を用いることができる。
【００１１】
そして、保持機構は、回転駆動体の外周縁部において、揺動軸線と平行な保持体回動軸線周りで回動可能に装着される保持体を有し、
その保持体は、伝達部材の一端部に対してその移動方向の両側から摺接する摺接部を含むことができる。
【００１２】
このように、回転駆動体の外周縁部において保持体が回動可能に装着されているので、装飾体が装飾体回動軸線周りに回動したことによって回転駆動体と伝達部材（の一端部）との相対位置関係が変化しても、保持体の回動により、伝達部材の一端部に対して摺接部を両側から摺接させることが容易となる。その結果、保持機構での荷重（負荷）支持能力を高め、駆動部の強度向上ひいては可動演出装置の耐久性向上（長寿命化）に寄与することができる。
【００１３】
具体的には、
保持体回動軸線は、伝達部材の他端部側に装飾体の自重が作用するときにその自重に基づく揺動軸線周りのモーメントを受け止めるように、伝達部材の一端部側において回転駆動体の外周縁部に配置され、
摺接部は、保持体回動軸線と同軸状に配置される主摺接部と、伝達部材を挟んで主摺接部とは反対側に配置される副摺接部とを含む場合がある。
【００１４】
このように、伝達部材を挟んで主摺接部と副摺接部とを配置することにより、装飾体の自重に基づく揺動軸線周りのモーメントを容易に受け止めることができる。したがって、装飾体を円滑に回動し、種々の回動角にて回動した位置に安定して保持することが容易となる。
【００１５】
ところで、装飾体には、その装飾体に対して変動（例えば往復移動）可能な他の装飾部材（例えば昇降枠）を、その装飾部材に対して駆動力を及ぼすために装飾体駆動源とは別個に設けられる装飾部材用駆動源（例えば昇降枠モータ）とともに搭載することができる。
【００１６】
このように、装飾体に対して変動可能な他の装飾部材と、その装飾部材を駆動するための装飾部材用駆動源とが装飾体に搭載され、装飾部材の変動が振動となって装飾体に付加される場合であっても、種々の回動角にて回動した位置に装飾体を安定して保持できる。
【００１７】
ここで、装飾部材の「変動」とは、（例えば回動軸線周りの回動による）装飾部材の姿勢変更と、（例えば直線的な移動による）装飾部材の位置変更とのうち、少なくともいずれか一方を伴う動きをいう。
【００１８】
なお、「装飾部材用駆動源」においても、ロータリアクチュエータ（例えばステッピングモータ）、リニアアクチュエータ（例えばリニアステッピングモータ）のいずれを用いてもよい。
【００１９】
そして、上記課題を解決するために、本発明の遊技機は、以上のような遊技機用可動演出装置を備えることを特徴とする。
【００２０】
このように、装飾体駆動源で駆動される回転駆動体と、長尺状の装飾体の長手方向中途部とを伝達部材を介して接続し、片持ち支持する基端部に過大な負荷をかけることなく装飾体を円滑に回動でき、また種々の回動角にて回動した位置に装飾体を安定して保持できる可動演出装置を備えることによって、可動演出装置ひいては遊技機の耐久性向上（長寿命化）を図ることができる。
【００２１】
なお、本発明の遊技機には、（１）パチンコ機等の弾球遊技機、（２）スロットマシンやパチスロ機等の回胴式遊技機、（３）ポーカーゲーム機、雀球遊技機等の各種ゲーム機、等が含まれる。
【図面の簡単な説明】
【００２２】
【図１】本発明に係る可動演出装置を含むセンター役物を備えたパチンコ機を例示する正面図。
【図２】可動演出装置の一例を示す正面図。
【図３】図２のＡ−Ａ断面図。
【図４】図２の可動演出装置を前方側ユニットと後方側ユニットとに分解して示す後方からの斜視図。
【図５】図４の可動演出装置の後方側ユニットを分解して示す前方からの斜視図。
【図６】回動枠が水平位置（初期位置）にあるときの後方側ユニットの正面図及び斜視図。
【図７】回動枠が斜め位置（中間位置）にあるときの後方側ユニットの正面図及び斜視図。
【図８】回動枠が垂下位置（終端位置）にあるときの後方側ユニットの正面図及び斜視図。
【図９】図４の可動演出装置の前方側ユニットを一部分解して示す前方からの斜視図。
【図１０】回動枠が水平位置（初期位置）にあるときの文字板の位置関係を示す正面図。
【図１１】回動枠が斜め位置（中間位置）にあるときの文字板の位置関係を示す正面図。
【図１２】回動枠が垂下位置（終端位置）にあるときの文字板の位置関係を示す正面図。
【図１３】図４の可動演出装置の前方側ユニットを一部分解して示す後方からの斜視図。
【図１４】回動枠が水平位置（初期位置）にあり、昇降枠が下降位置（第一位置）にあるときの両者の駆動系を示す背面図。
【図１５】回動枠が水平位置（初期位置）にあり、昇降枠が下降位置（第一位置）にあるときの両者の位置関係を示す正面図、背面図及びＢ−Ｂ断面図。
【図１６】回動枠が水平位置（初期位置）にあり、昇降枠が上昇位置（第二位置）にあるときの両者の位置関係を示す正面図、背面図及びＣ−Ｃ断面図。
【図１７】回動枠が垂下位置（終端位置）にあり、昇降枠が下降位置（第一位置）にあるときの両者の駆動系を示す背面図。
【図１８】回動枠が垂下位置（終端位置）にあり、昇降枠が下降位置（第一位置）にあるときの両者の位置関係を示す正面図、背面図及びＢ’−Ｂ’断面図。
【図１９】回動枠が垂下位置（終端位置）にあり、昇降枠が上昇位置（第二位置）にあるときの両者の位置関係を示す正面図、背面図及びＣ’−Ｃ’断面図。
【発明を実施するための形態】
【００２３】
（実施例）
以下、本発明の実施の形態を図面を参照しつつ説明する。図１は本発明に係る遊技機用可動演出装置（以下、単に可動演出装置ともいう）を含むセンター役物を備えたパチンコ機を例示する正面図である。図１に示すように、パチンコ機１（遊技機）の遊技盤２の盤面（前面）には、ほぼ左半周が内外２本の発射レール２ｂによって区画され、全体として円形の遊技領域２ａが形成されている。遊技領域２ａの中央には、遊技盤２上での遊技状態の変化に応じた演出表示を行う液晶表示部３（可変表示手段）が配置されている。この液晶表示部３と、液晶表示部３を保持する矩形枠状の中央フレーム４と、中央フレーム４の前方にて液晶表示部３の上方に前側装飾部として配置された可動演出装置５と、を含むセンター役物１００が遊技盤２に搭載されている。液晶表示部３の下方（遊技領域２ａの中央下部）に大入賞口６（アタッカー）が配置されている。また、液晶表示部３と大入賞口６との間には、電動チューリップ（電チュー）にて構成される始動口７が配置されている。
【００２４】
なお、本明細書において、上下方向とは遊技盤２の盤面に沿う形で遊技球が流下する方向（例えば、鉛直方向）を意味する。また、左右方向とは遊技盤２の盤面に沿う形で上下方向と交差する方向（例えば、水平方向）を意味し、遊技者側からみて左側、右側をいう。さらに、前後方向とは遊技盤２と交差（例えば、直交）する方向を意味し、遊技者に対面する側（手前側）が前面側（前方側）であり、その反対側（奥側）が後面側（後方側）となる。
【００２５】
図２は可動演出装置の一例を示す正面図、図３はそのＡ−Ａ断面図、図４は可動演出装置を前方側ユニットと後方側ユニットとに分解して示す後方からの斜視図である。図２〜図４に示すように、可動演出装置５は、遊技盤２（図１参照）に対して固定状態で取り付けられる、擬似直方体形状の後方側ユニット８と、前後方向の軸線（後述する回動枠回動軸線Ｏ１）周りで回動可能な、左右方向に長尺状かつ平板状の前方側ユニット９とを備えている。
【００２６】
全体として箱状を呈する後方側ユニット８は、フロントケース８Ｆとリアケース８Ｒとの間に、前方側ユニット９を回動するための駆動系（詳細は後述する）を内蔵し、ユニットベース（図示せず）を介して中央フレーム４（図１参照）に固定されている。前方側ユニット９の主要部を構成する回動枠１０（装飾体）は、長手方向一端側（左端側）の回動座１０Ｚ（回動枠回動軸線Ｏ１（装飾体回動軸線）；図３及び図９参照）を基端部とし、長手方向他端側（右端側）を先端部とする片持ち状態で回動する。回動枠１０は、前面枠１０Ｆと背面枠１０Ｒとが全体として箱状を呈するとともに、背面枠１０Ｒとリアフレーム９Ｒとの間に、後述する昇降枠５０（移動体）を上下方向に往復移動するための駆動系（詳細は後述する）が配置されている。下方に開口した箱状を呈する昇降枠５０は、前枠５０Ｆと後枠５０Ｒとから構成され、回動枠１０に対して上方から跨設されている。前方側ユニット９のリアフレーム９Ｒは、回動枠１０を構成する背面枠１０Ｒの背面側に固定されている。
【００２７】
回動枠１０を構成する前面枠１０Ｆの前方側には、その長手方向（図２に実線で示す初期位置では左右水平方向）に沿って、複数（例えば３個）の文字板３０Ｌ，３０Ｃ，３０Ｒ（表示体；装飾部材）がそれぞれ配設されている。このうち、中文字板３０Ｃ（追随表示体；選択表示体）と右文字板３０Ｒ（追随表示体）とは、文字板回動軸線Ｏ４（表示体回動軸線）周りで回動枠１０に対して相対回動可能となるように、それぞれ前面枠１０Ｆに軸支されている。他方、残りの左文字板３０Ｌ（基準表示体）は、後方側ユニット８を構成するフロントケース８Ｆに固定されている。そこで、回動する回動枠１０から見ると、左文字板３０Ｌも、回動枠回動軸線Ｏ１と共有関係にある文字板回動軸線Ｏ４（表示体回動軸線）周りで回動枠１０に対する相対的な回動が可能であると見做すことができる（詳細は後述する）。なお、昇降枠５０を構成する前枠５０Ｆは、中文字板３０Ｃと前面枠１０Ｆとの間に配置されている。
【００２８】
次に、図５は後方側ユニットを分解して示す前方からの斜視図である。また、図６〜図８は後方側ユニット８（リアケース８Ｒ）の正面図及び斜視図であり、図６は回動枠が水平位置（初期位置）にあるとき、図７は回動枠が斜め位置（中間位置）にあるとき、図８は回動枠が垂下位置（終端位置）にあるときをそれぞれ表している。これらの図によって、前方側ユニット９（具体的には回動枠１０）を回動するための駆動系を説明する。
【００２９】
図５に示すように、後方側ユニット８には、回動枠１０を回動するための駆動系として、片持ち状の回動枠１０を駆動（回動）するための駆動セクタギア１１１（回転駆動体）と、駆動セクタギア１１１の駆動力を回動枠１０に伝達するための揺動アーム１１２（伝達部材）と、揺動アーム１１２と駆動セクタギア１１１とを接続・保持するための保持機構１２０とが内蔵されている。駆動セクタギア１１１は、リアケース８Ｒの背面側に固定された回動枠モータ１１０（装飾体駆動源）からの駆動力をモータ歯車１１０ａを介して受けることによって、所定の回転角度範囲（回動枠１０の回動角に対応する）で回転する。
【００３０】
揺動アーム１１２は、駆動セクタギア１１１と回動枠１０との間に配置され、一端部（左端部）が駆動セクタギア１１１に接続され、他端部（右端部）が回動枠１０の基端部と先端部との間の長手方向中途部に連結されている。具体的には、揺動アーム１１２の左端部では、後述する保持機構１２０を介して駆動セクタギア１１１に接続され、その右端部に貫通形成された長孔１１２ｂ（係合部）には、リアフレーム９Ｒから後方側に（回動枠回動軸線Ｏ１と平行に）突出形成された連結軸９ｂ（係合部）が挿通されている。これによって、揺動アーム１１２は、回動枠回動軸線Ｏ１と平行な揺動軸線Ｏ２を有し、両ケース８Ｆ，８Ｒに軸支された揺動軸１１２ａ周りに揺動し、保持機構１２０と係合部１１２ｂ，９ｂとを介して、駆動セクタギア１１１の駆動力をリアフレーム９Ｒ（回動枠１０）に伝達する。
【００３１】
保持機構１２０は、駆動セクタギア１１１に装着されて揺動アーム１１２の左端部を挟み込むように保持している。具体的には、駆動セクタギア１１１における非歯車形成領域の外周縁部には、保持体１２１が揺動軸線Ｏ２と平行な保持体回動軸線Ｏ３周りで回動可能に装着されている。この保持体１２１は、揺動アーム１１２の左端部に対してその移動方向の両側から摺接する摺接部１２２を有している。さらに具体的には、摺接部１２２は、駆動セクタギア１１１の外周縁部において、保持体回動軸線Ｏ３と同軸状に突出形成された回動軸１２２ａ（主摺接部）と、揺動アーム１１２を挟んで回動軸１２２ａとは反対側において、保持体１２１から保持体回動軸線Ｏ３と平行状に突出形成された突出軸１２２ｂ（副摺接部）とを含む。
【００３２】
したがって、図６において、駆動セクタギア１１１が所定の方向（例えば時計回り）に所定の回転角度範囲で回転するとき、揺動アーム１１２の左端部は回動軸１２２ａと突出軸１２２ｂとで両側から挟み込まれて保持されつつ揺動軸線Ｏ２周りに揺動する。したがって、駆動セクタギア１１１の駆動力は、揺動アーム１１２の右端部において、係合部１１２ｂ，９ｂを介し回動枠１０の長手方向中途部を下方に押す押圧力としてに伝達される。これによって、回動枠１０は、その先端部（右端部）が、基端部（左端部）の回動枠回動軸線Ｏ１周りに所定の回動角（例えば４５°で図７の斜め位置（中間位置）、９０°で図８の垂下位置（終端位置））で回動する。
【００３３】
なお、保持体回動軸線Ｏ３（回動軸１２２ａ）の設置位置について、揺動アーム１１２の右端部側に回動枠１０の自重が作用するときに、自重に基づく揺動軸線Ｏ２周りのモーメントを受け止めるように、揺動アーム１１２の左端部において右側（駆動セクタギア１１１側）に配置してある。
【００３４】
リアケース８Ｒの内面には、水平位置（初期位置；図６）に対応させて、揺動アーム１１２の変動状態を非接触式にて検知するために、フォトセンサ１１３（検知手段）が設置されている。また、揺動アーム１１２の揺動軸１１２ａ付近には、フォトセンサ１１３の所定領域を通過する（すなわち、光を遮る）ことによって各位置へ到達したことを感知し、回動枠モータ１１０の駆動を停止させるための遮蔽板１１２ｃ（通過部）が固定されている。
【００３５】
一方、駆動セクタギア１１１の前端面には、周方向に所定の角度範囲（例えば約半周）にわたって係止壁１１１ａが突出形成されている。また、揺動アーム１１２の左端部には、係止壁１１１ａに向かって凸部１１２ｄが突出形成されている。揺動アーム１１２が垂下位置（終端位置；図８）を超えて回動するとき、係止壁１１１ａと凸部１１２ｄとが当接し、揺動アーム１１２がそれ以上回動するのを阻止する。
【００３６】
以上で説明した回動枠１０の回動について、図６〜図８を参照しつつさらに説明する。
【００３７】
＜水平位置（初期位置）＞（図６）
フォトセンサ１１３が遮蔽板１１２ｃを検知することによって、回動枠モータ１１０の駆動が停止している。揺動アーム１１２は図６の初期位置で停止し、回動枠１０は水平位置（図２の実線位置）で停止している。このとき、揺動アーム１１２の左端部は回動軸１２２ａと突出軸１２２ｂとで両側から挟み込まれて保持されている。
【００３８】
＜斜め位置（中間位置）＞（図７）
回動枠モータ１１０が駆動され、駆動セクタギア１１１が図６（ａ）の矢印方向に回転すると、揺動アーム１１２は揺動軸線Ｏ２周りに揺動して図７の中間位置に達し、回動枠１０は所定の回動角（例えば４５°）で斜め位置（図２の仮想線位置）に達する。揺動アーム１１２の左端部が移動するにつれて保持体１２１も保持体回動軸線Ｏ３周りで回動し、回動軸１２２ａと突出軸１２２ｂとによる揺動アーム１１２の左端部の挟み込み状態（保持状態）を維持する。
【００３９】
＜垂下位置（終端位置）＞（図８）
駆動セクタギア１１１が図７（ａ）からさらに矢印方向に回転すると、揺動アーム１１２は揺動軸線Ｏ２周りに引き続き揺動して図８の終端位置に達し、回動枠１０は所定の回動角（例えば９０°）で垂下位置（図２の仮想線位置）に達する。このとき、保持体１２１も保持体回動軸線Ｏ３周りで引き続き回動し、回動軸１２２ａと突出軸１２２ｂとによる揺動アーム１１２の左端部の挟み込み状態（保持状態）を継続する。この実施例では回動枠モータ１１０の回転数（ステップ数）で停止制御しているが、終端位置検知用のフォトセンサを別途設けてもよい。なお、慣性等によって終端位置を通り過ぎた場合には、凸部１１２ｄが係止壁１１１ａに当接して、揺動アーム１１２がそれ以上回動するのを阻止する。
【００４０】
なお、図８に示す垂下位置（終端位置）から図６に示す水平位置（初期位置）に復帰する（戻る）場合には、以上の説明とは逆方向の手順にて実行される。
【００４１】
このように、回動枠モータ１１０で駆動される駆動セクタギア１１１と、長尺状の回動枠１０の長手方向中途部とを揺動アーム１１２を介して接続することによって、片持ち支持する基端部に過大な負荷をかけることなく回動枠１０を円滑に回動でき、また種々の回動角にて回動した位置に回動枠１０を安定して保持できる。その際、揺動アーム１１２の左端部は、回動軸１２２ａと突出軸１２２ｂとによる挟み込み（保持）によって、保持機構１２０での大きな荷重（負荷）支持が可能となり、回動枠１０の基端部での支持負担を軽減することができ、可動演出装置５の耐久性向上（長寿命化）を図ることができる。また、揺動アーム１１２の左端部が保持機構１２０により挟み込み保持されるので、輸送時・運搬時・取付時等において、梱包材等を用いなくても回動枠１０を損傷から防護できる。
【００４２】
さらに、揺動アーム１１２の左端部を挟んで回動軸１２２ａと突出軸１２２ｂとを配置したので、回動枠１０の自重に基づく揺動軸線Ｏ２周りのモーメントを容易に受け止めることができる。したがって、後述するように、昇降枠５０と昇降枠モータ１５０（移動体駆動源）とを回動枠１０（リアフレーム９Ｒ）に搭載し、昇降枠５０を上下方向に往復移動することによって、昇降枠５０の往復移動が振動となって回動枠１０に付加される場合にも、種々の回動角にて回動した位置に回動枠１０を安定して保持できる。
【００４３】
次に、図９は前方側ユニットを一部分解して示す前方からの斜視図である。また、図１０〜図１２は文字板の位置関係を示す正面図であり、図１０は回動枠が水平位置（初期位置）にあるとき、図１１は回動枠が斜め位置（中間位置）にあるとき、図１２は回動枠が垂下位置（終端位置）にあるときをそれぞれ表している。これらの図によって、回動枠１０の回動と文字板３０Ｌ，３０Ｃ，３０Ｒの回動とを関連させるための連動系について説明する。
【００４４】
図９に示すように、前方側ユニット９（回動枠１０の前面枠１０Ｆ）の前方側において、文字板回動軸線Ｏ４周りで回動枠１０に対して相対回動可能な複数（例えば３個）の文字板３０Ｌ，３０Ｃ，３０Ｒには、遊技盤２（図１参照）の盤面に対して上下方向の方向性を有するアルファベット文字（例えば『Ｎ』、『Ｐ』、『Ｂ』）がそれぞれ表記されている。また、回動枠１０には、回動枠１０の回動につれて、回動枠回動軸線Ｏ１周りに回動枠１０の回動角と同一の回動角度範囲で回動する遊星歯車機構１３０（回動機構）と、その遊星歯車機構１３０の回動角度範囲と等価な回動角度で各文字板３０Ｌ，３０Ｃ，３０Ｒを回動するための平行クランク機構１４０（リンク機構）とが内蔵されている。
【００４５】
図１０に示すように、遊星歯車機構１３０は、後方側ユニット８のフロントケース８Ｆに回動枠回動軸線Ｏ１と同心状に固定配置（図２参照）された太陽歯車１３１（外セクタ歯車）と、太陽歯車１３１と噛み合うように回動枠１０の前面枠１０Ｆに軸支（図２参照）された複数（例えば２個）の遊星歯車１３２Ａ，１３２Ｂ（外セクタ歯車）とを含む。各々の遊星歯車１３２Ａ，１３２Ｂは太陽歯車１３１と同一モジュールで同一ピッチ円直径を有する。太陽歯車１３１に近い方の第一遊星歯車１３２Ａは、１個の中間歯車１３１ａを介して太陽歯車１３１と噛み合わせてある。一方、遠い方の第二遊星歯車１３２Ｂは、連結フレーム１３３の両端部に形成されたラック部１３３ａ，１３３ａを介して第一遊星歯車１３２Ａと噛み合っている。連結フレーム１３３は回動枠１０の長手方向に沿って背面枠１０Ｒに摺動可能に保持され、両遊星歯車１３２Ａ，１３２Ｂ間に架設されている。したがって、第二遊星歯車１３２Ｂは、ラック部１３３ａ，１３３ａを中間歯車とし、第一遊星歯車１３２Ａとラック部１３３ａ，１３３ａとを介して太陽歯車１３１と噛み合っている。
【００４６】
このように、上記遊星歯車機構１３０は、回動枠１０を腕とし、太陽歯車１３１と２個の遊星歯車１３２Ａ，１３２Ｂとで構成され、太陽歯車１３１を固定して腕（回動枠１０）を回動させる方式で用いられる。
【００４７】
３個の文字板３０Ｌ，３０Ｃ，３０Ｒのうち、『Ｎ』が表記された左文字板３０Ｌは、固定軸１３４により太陽歯車１３１（回動枠回動軸線Ｏ１）と同心状にかつ回動不能に配置され（図２参照）、基準となる文字板（基準表示体）を構成している。そして、『Ｐ』が表記された中文字板３０Ｃと、『Ｂ』が表記された右文字板３０Ｒとは、それぞれ支軸１３５（文字板回動軸線Ｏ４）により回動枠１０の前面枠１０Ｆに軸支され（図２参照）、平行クランク機構１４０により回動枠１０の回動に追随して回動する文字板（追随表示体）を構成している。
【００４８】
平行クランク機構１４０は、回動枠１０の長手方向に沿って連結フレーム１３３と平行状に配置されるリンクフレーム１４１と、前面枠１０Ｆに軸支される中文字板３０Ｃ及び右文字板３０Ｒの支軸１３５，１３５とリンクフレーム１４１とをそれぞれ繋ぐ連接リンク１４２，１４２とを含む。したがって、リンクフレーム１４１と連接リンク１４２，１４２とは平行四辺形を形成する。
【００４９】
したがって、回動枠１０（遊星歯車機構１３０の腕）が回動枠回動軸線Ｏ１周りに回動するとき、各遊星歯車１３２Ａ，１３２Ｂは、それぞれ太陽歯車１３１の周囲を回動枠１０の回動方向と同方向（例えば時計回り）へ公転しつつ逆方向（例えば反時計回り）へ自転する。すなわち、各々の遊星歯車１３２Ａ，１３２Ｂは、回動枠１０と同方向へ回動枠１０の回動角と同一の回動角度範囲で公転しながら、自身は逆方向へ回動枠１０の回動角と同一の回動角度範囲で戻り回転（自転）する。このとき、平行クランク機構１４０によって連接リンク１４２，１４２は、回動枠１０の回動角と同一の回動角度範囲で支軸１３５，１３５とともに逆作動し、中文字板３０Ｃ及び右文字板３０Ｒの表記文字である『Ｐ』及び『Ｂ』の上下方向を回動前とそれぞれ一致させる。
【００５０】
ところで、回動枠１０が回動しても、基準の文字板である左文字板３０Ｌは、固定軸１３５を介して太陽歯車１３１に固定されたまま回動しない。したがって、追随して回動する文字板である中文字板３０Ｃ及び右文字板３０Ｒのように、文字板回動軸線Ｏ４周りに回動可能であるとは言えない。しかし、本来回動枠１０とともに回動枠回動軸線Ｏ１周りで回動するはずの左文字板３０Ｌは回動前の上下方向を維持して静止しているので、回動する回動枠１０側から見ると、あたかも自身の回動角分だけ回動枠回動軸線Ｏ１周りで逆方向に回動したかのごとく看取される。回動枠１０側から見た状況は左文字板３０Ｌに限らず、中文字板３０Ｃ及び右文字板３０Ｒについても同様である。そこで、回動する回動枠１０から見る場合を判定基準とすれば、左文字板３０Ｌも、回動枠回動軸線Ｏ１と共有関係にある文字板回動軸線Ｏ４周りで回動枠１０に対する相対的な回動が可能であると見做すことができる。
【００５１】
図３に戻り、中文字板３０Ｃの裏蓋３０ａ（中文字発光基板を兼ねる場合あり）に貫通形成された凹部の内周面と、前枠５０Ｆ（昇降枠５０）の前面から前方側へ一体的に突出形成され、中文字板３０Ｃに固定された支軸１３５を挿通軸支する円筒状のボス部５０ａの外周面との間に環状隙間ＳＣが形成されている。また、右文字板３０Ｒの裏蓋３０ａ（右文字発光基板を兼ねる場合あり）に貫通形成された凹部の内周面と、前面枠１０Ｆ（回動枠１０）の前面から前方側へ一体的に突出形成され、右文字板３０Ｒに固定された支軸１３５を挿通軸支する円筒状のボス部１０ａの外周面との間に環状隙間ＳＲが形成されている。そして、図３に示すように、右文字用の環状隙間ＳＲは中文字用の環状隙間ＳＣよりも広幅に形成されている。
【００５２】
ところで、回動枠１０が回動枠回動軸線Ｏ１周りで時計回り（又は反時計回り）に回動して停止したとき（図２参照）、中文字板３０Ｃ及び右文字板３０Ｒには、自身の重量に加えて遊星歯車機構１３０や平行クランク機構１４０の重量も慣性力として作用する。したがって、中文字板３０Ｃ及び右文字板３０Ｒは、それぞれの表記文字である『Ｐ』及び『Ｂ』の上下方向を回動前と一致させた状態にてすぐには停止できず、それぞれの文字板回動軸線Ｏ４周りでしばらく揺動回転することになる。このとき、中文字板３０Ｃよりも長手方向遠方側（右端部側）に位置する右文字板３０Ｒには、遊星歯車機構１３０や平行クランク機構１４０の全重量が掛かるためより大きなモーメントが作用するが、右文字用の環状隙間ＳＲを中文字用の環状隙間ＳＣよりも広幅に形成しているので、中文字板３０Ｃよりも大きく揺動回転できる。
【００５３】
なお、右文字板３０Ｒにおける支軸１３５の外周面とボス部１０ａの内周面との間のリング状隙間や、中文字板３０Ｃにおける支軸１３５の外周面とボス部５０ａの内周面との間のリング状隙間を大きくすることによっても、上記した揺動回転を許容することができる。その際、上記と同様に、右文字用のリング状隙間を中文字用のリング状隙間よりも広幅に形成してもよい。
【００５４】
以上で説明した回動枠１０の回動に連動する文字板３０Ｌ，３０Ｃ，３０Ｒの回動について、図６〜図８及び図１０〜図１２を参照しつつさらに説明する。
【００５５】
＜水平位置（初期位置）＞（図６，図１０）
揺動アーム１１２が図６の初期位置で停止し、回動枠１０が水平位置（図２の実線位置）で停止している。このとき、連結フレーム１３３及びリンクフレーム１４１は回動枠１０と同じ水平方向に位置しているので、文字板３０Ｌ，３０Ｃ，３０Ｒの表記文字『Ｎ』、『Ｐ』、『Ｂ』は通常の上下方向で表示される。
【００５６】
＜斜め位置（中間位置）＞（図７，図１１）
揺動アーム１１２は揺動軸線Ｏ２周りに揺動して図７の中間位置に達し、回動枠１０は所定の回動角（例えば４５°）で斜め位置（図２の仮想線位置）に達する。このとき、連結フレーム１３３及びリンクフレーム１４１は回動枠１０と同じ斜め方向に位置する。連接リンク１４２，１４２は、遊星歯車機構１３０と平行クランク機構１４０とによって、回動枠１０の回動角と同一の回動角度範囲で支軸１３５，１３５とともに逆作動するので、文字板３０Ｃ，３０Ｒの表記文字『Ｐ』、『Ｂ』の上下方向は回動前と一致する。なお、左文字板３０Ｌは、固定軸１３５を介して太陽歯車１３１に固定されたまま回動しない。
【００５７】
＜垂下位置（終端位置）＞（図８，図１２）
揺動アーム１１２は揺動軸線Ｏ２周りに引き続き揺動して図８の終端位置に達し、回動枠１０は所定の回動角（例えば９０°）で垂下位置（図２の仮想線位置）に達する。このとき、連結フレーム１３３及びリンクフレーム１４１は回動枠１０と同じ垂下方向に位置する。連接リンク１４２，１４２は、遊星歯車機構１３０と平行クランク機構１４０とによって、回動枠１０の回動角と同一の回動角度範囲で支軸１３５，１３５とともに逆作動するので、文字板３０Ｃ，３０Ｒの表記文字『Ｐ』、『Ｂ』の上下方向は回動前と一致する。なお、左文字板３０Ｌは、固定軸１３５を介して太陽歯車１３１に固定されたまま回動しない。
【００５８】
なお、図８及び図１２に示す垂下位置（終端位置）から図６及び図１０に示す水平位置（初期位置）に復帰する（戻る）場合には、以上の説明とは逆方向の手順にて実行される。
【００５９】
このように、回動枠モータ１１０の駆動力によって回動枠１０が回動するとき、回動枠１０の動きが遊星歯車機構１３０及び平行クランク機構１４０を介して文字板３０Ｌ，３０Ｃ，３０Ｒに伝達されると、表記文字『Ｎ』、『Ｐ』、『Ｂ』の上下方向は回動の前後を通じて変わらない。回動の前後で表記文字『Ｎ』、『Ｐ』、『Ｂ』の上下方向が変化しないため、演出動作の内容を見誤ったり理解できなくなったりすることなく、遊技者に対して興趣を持続させることができる。
【００６０】
次に、図１３は前方側ユニットを一部分解して示す後方からの斜視図である。また、図１４及び図１７は回動枠と昇降枠の駆動系を示す背面図であり、図１４は回動枠が水平位置（初期位置）にあり、昇降枠が下降位置（第一位置）にあるとき、図１７は回動枠が垂下位置（終端位置）にあり、昇降枠が下降位置（第一位置）にあるときをそれぞれ表している。さらに、図１５・図１６及び図１８・図１９は回動枠と昇降枠の位置関係を示す正面図、背面図及び断面図であり、図１５は回動枠が水平位置（初期位置）にあり、昇降枠が下降位置（第一位置）にあるとき、図１６は回動枠が水平位置（初期位置）にあり、昇降枠が上昇位置（第二位置）にあるとき、図１８は回動枠が垂下位置（終端位置）にあり、昇降枠が下降位置（第一位置）にあるとき、図１９は回動枠が垂下位置（終端位置）にあり、昇降枠が上昇位置（第二位置）にあるときをそれぞれ表している。これらの図によって、昇降枠５０を昇降移動するための駆動系を説明する。
【００６１】
図１３〜図１５に示すように、昇降枠５０の前枠５０Ｆは、中文字板３０Ｃ（選択表示体）と回動枠１０の背面枠１０Ｒとに挟まれて配置されている。昇降枠５０（前枠５０Ｆ）は、回動枠１０の前方側にて前後で重なり合った状態を保持しつつ、回動枠１０とは独立して上下方向に昇降移動（すなわち、回動枠１０の長手方向と交差（例えば直交）し、かつ遊技盤２（図１参照）の盤面と平行な移動方向へ移動）可能である。前方側ユニット９は、昇降枠５０を昇降移動するための駆動系として、昇降枠５０を駆動するための昇降枠モータ１５０及び駆動アーム１５１と、平行クランク機構１４０と中文字板３０Ｃとの間に配置される案内機構１６０とを備えている。
【００６２】
昇降枠モータ１５０は回動枠１０のリアフレーム９Ｒに搭載され、昇降枠５０に対して上下方向の駆動力を及ぼす。駆動アーム１５１は、一端部が回動枠１０の背面枠１０Ｒに軸支されるとともに、他端部に貫通形成された長孔１５１ａ（係合部）に昇降枠５０の後枠５０Ｒから後方側へ突出形成された駆動ピン５０ａ（係合部）が挿入されている。
【００６３】
案内機構１６０は、昇降枠モータ１５０からの駆動力により昇降枠５０が中文字板３０Ｃとともに移動方向に移動する際に、平行クランク機構１４０の一部を上下方向に沿って移動案内する。具体的には、リンクフレーム１４１において、昇降枠５０が昇降移動する際に、中文字板３０Ｃ用連接リンク１４２のリンク支点軸１６１が上下方向に移動できるように、上下方向に延びる案内溝１６２が長孔状に貫通形成されている。
【００６４】
なお、昇降枠５０の後枠５０Ｒには、上下方向に延びる複数（例えば２つ）のガイド溝５０ｂ（係合部）が長孔状かつ平行状に貫通形成され、回動枠１０の背面枠１０Ｒに固定される同数のガイドピン１０ａ（係合部）がそれぞれガイド溝５０ｂに挿通されている。昇降枠５０が駆動アーム１５１で駆動されて昇降移動する際に、昇降枠５０のガイド溝５０ｂはガイドピン１０ａに案内されて円滑に作動できる。また、背面枠１０Ｒの背面には、昇降枠５０の下降位置（第一位置；図１５）に対応させて、駆動アーム１５１の変動状態を非接触式にて検知するために、フォトセンサ１５２（検知手段）が設置されている。そして、駆動アーム１５１の一端部には、フォトセンサ１５２の所定領域を通過する（すなわち、光を遮る）ことによって各位置へ到達したことを感知し、昇降枠モータ１５０の駆動を停止させるための遮蔽板１５１ｂ（通過部）が固定されている。
【００６５】
以上で説明した昇降枠５０の昇降移動について、図１４〜図１９を参照しつつさらに説明する。
【００６６】
＜回動枠１０が水平位置（初期位置）；昇降枠５０が下降位置（第一位置）＞（図１４，図１５）
フォトセンサ１１３が遮蔽板１１２ｃを検知することによって、回動枠モータ１１０の駆動が停止している（図６（ａ）参照）。揺動アーム１１２は図１４の初期位置で停止し、回動枠１０は水平位置（図２の実線位置）で停止している。一方、フォトセンサ１５２が遮蔽板１５１ｂを検知することによって、昇降枠モータ１５０の駆動が停止している。駆動アーム１５１は図１５の第一位置で停止し、昇降枠５０は下降位置で停止している。
【００６７】
＜回動枠１０が水平位置（初期位置）；昇降枠５０が上昇位置（第二位置）＞（図１４，図１６）
フォトセンサ１１３が遮蔽板１１２ｃを検知することによって、回動枠モータ１１０の駆動が停止している（図６（ａ）参照）。揺動アーム１１２は図１４の初期位置で停止し、回動枠１０は水平位置（図２の実線位置）で停止している。一方、昇降枠モータ１５０が駆動され、駆動アーム１５１が図１５（ｂ）の矢印方向に回転すると、駆動アーム１５１は図１６の第二位置に達し、昇降枠５０は上昇位置に達する。このとき、平行クランク機構１４０及び案内機構１６０では、中文字板３０Ｃ用連接リンク１４２のリンク支点軸１６１が案内溝１６２内を上昇する（図１０参照）。
【００６８】
＜回動枠１０が垂下位置（終端位置）；昇降枠５０が下降位置（第一位置）＞（図１７，図１８）
駆動セクタギア１１１が図１４から矢印方向に回転すると、揺動アーム１１２は揺動軸線Ｏ２周りに揺動して図１７の終端位置に達し、回動枠１０は所定の回動角（例えば９０°）で垂下位置（図２の仮想線位置）に達する。一方、フォトセンサ１５２が遮蔽板１５１ｂを検知することによって、昇降枠モータ１５０の駆動が停止している。駆動アーム１５１は図１８の第一位置で停止し、昇降枠５０は下降位置で停止している。
【００６９】
＜回動枠１０が垂下位置（終端位置）；昇降枠５０が上昇位置（第二位置）＞（図１７，図１９）
引き続き回動枠モータ１１０の駆動が停止している。揺動アーム１１２は図１７の終端位置で停止し、回動枠１０は垂下位置（図２の仮想線位置）で停止している。一方、昇降枠モータ１５０が駆動され、駆動アーム１５１が図１８（ｂ）の矢印方向に回転すると、駆動アーム１５１は図１９の第二位置に達し、昇降枠５０は上昇位置に達する。このとき、平行クランク機構１４０及び案内機構１６０では、中文字板３０Ｃ用連接リンク１４２のリンク支点軸１６１が案内溝１６２内を上昇する（図１２参照）。
【００７０】
なお、回動枠１０が斜め位置（中間位置）の場合について説明を省略したが、図７や図１１と同様に可能である。また、回動枠１０が図１７に示す垂下位置（終端位置）から図１４に示す水平位置（初期位置）に復帰する（戻る）場合、あるいは昇降枠５０が図１６及び図１９に示す上昇位置（第二位置）から図１５及び図１８に示す下降位置（第一位置）に復帰する（戻る）場合には、それぞれ以上の説明とは逆方向の手順にて実行される。
【００７１】
このように、片持ち支持されて回動する長尺状の回動枠１０と、上下方向へ移動可能な昇降枠５０とを、前後方向で重なり合った状態で配置し、個別のモータにて駆動することによって、意外性や躍動感に富んだ演出動作で遊技者の興趣を高めることができる。すなわち、回動枠１０は回動枠モータ１１０からの駆動力によって片持ち状態で回動し、昇降枠５０は昇降枠モータ１５０からの駆動力によって回動枠１０の前方側で往復移動するため、迫力に富んだ演出動作により遊技者の興趣を持続させることができる。
【００７２】
さらに、平行クランク機構１４０と中文字板３０Ｃとの間にリンク支点軸１６１の移動のための案内溝１６２が配置されているので、昇降枠５０は、案内溝１６２を介して中文字板３０Ｃとともに、昇降枠モータ１５０からの駆動力によって往復移動可能である。これによって、回動枠１０、昇降枠５０及び中文字板３０Ｃの三者による極めて迫力に富んだ演出動作が可能となり、しかも回動枠モータ１１０、昇降枠モータ１５０等の駆動系とともに可動演出装置５をコンパクトに構成できる。
【００７３】
以上の実施例では、複数の文字板３０Ｌ，３０Ｃ，３０Ｒを長尺状の回動枠１０の長手方向に沿って各々相対回動可能に装着したが、例えば円盤状の回動枠の回動中心及び中心から所定距離隔てた周方向に沿って各々相対回動可能に装着してもよい。また、遊技機用可動演出装置をパチンコ機に搭載する場合についてのみ説明したが、アレンジパチンコ等のその他の弾球遊技機は勿論、スロットマシンやパチスロ機等の回胴式遊技機、ポーカーゲーム機や雀球遊技機等の各種ゲーム機、等で実施してもよい。
【符号の説明】
【００７４】
１          パチンコ機（遊技機）
２          遊技盤
３          液晶表示部（可変表示手段）
４          中央フレーム
５          可動演出装置（遊技機用可動演出装置；前側装飾部）
８          後方側ユニット
８Ｆ        フロントケース
８Ｒ        リアケース
９          前方側ユニット
９Ｒ        リアフレーム
９ｂ        連結軸（係合部）
１０        回動枠（装飾体）
１０Ｆ      前面枠
１０Ｒ      背面枠
１０Ｚ      回動座
３０        文字板（表示体；装飾部材）
３０Ｌ      左文字板（基準表示体）
３０Ｃ      中文字板（追随表示体；選択表示体）
３０Ｒ      右文字板（追随表示体）
５０        昇降枠（移動体）
５０Ｆ      前枠
５０Ｒ      後枠
１００      センター役物
１１０      回動枠モータ（装飾体駆動源）
１１１      駆動セクタギア（回転駆動体）
１１２      揺動アーム（伝達部材）
１１２ａ    揺動軸
１１２ｂ    長孔（係合部）
１２０      保持機構
１２１      保持体
１２２      摺接部
１２２ａ    回動軸（主摺接部）
１２２ｂ    突出軸（副摺接部）
１３０      遊星歯車機構（回動機構）
１３１      太陽歯車
１３１ａ    中間歯車
１３２Ａ，１３２Ｂ  遊星歯車
１３３      連結フレーム
１３３ａ    ラック部
１３４      固定軸
１３５      支軸
１４０      平行クランク機構（リンク機構）
１４１      リンクフレーム
１４２      連接リンク
１５０      昇降枠モータ（移動体駆動源）
１５１      駆動アーム
１６０      案内機構
１６１      リンク支点軸
１６２      案内溝
Ｏ１        回動枠回動軸線（装飾体回動軸線）
Ｏ２        揺動軸線
Ｏ３        保持体回動軸線
Ｏ４        文字板回動軸線（表示体回動軸線）
【図１】
2010214010.tif 000003
【図２】
2010214010.tif 000004
【図３】
2010214010.tif 000005
【図４】
2010214010.tif 000006
【図５】
2010214010.tif 000007
【図６】
2010214010.tif 000008
【図７】
2010214010.tif 000009
【図８】
2010214010.tif 000010
【図９】
2010214010.tif 000011
【図１０】
2010214010.tif 000012
【図１１】
2010214010.tif 000013
【図１２】
2010214010.tif 000014
【図１３】
2010214010.tif 000015
【図１４】
2010214010.tif 000016
【図１５】
2010214010.tif 000017
【図１６】
2010214010.tif 000018
【図１７】
2010214010.tif 000019
【図１８】
2010214010.tif 000020
【図１９】
2010214010.tif 000021